(57)【特許請求の範囲】
【請求項１】
下梁材と、この下梁材の上方に設けられた上梁材との少なくともいずれか一方の梁材が、長手方向に沿って往復動可能となされた装置本体と、
この下梁材と上梁材とにそれぞれ固定される係止レールと、
この係止レールに当接された状態で係止金具を介して固定されてなるカーテンウォール構造の外壁パネルと、
下梁材および上梁材に固定され、隣接する外壁パネル同士の間隙に介在する丸棒状のスペーサとを具備し、
装置本体の下梁材と上梁材とを連続的に変位させるとともに、スペーサによって外壁パネル同士がぶつかり合うことを防止して、この変形によって破壊されずに外壁パネルが追従して動くことを展示するようになされたことを特徴とする外壁パネルの耐震性能展示装置。
【発明の詳細な説明】
【０００１】
【産業上の利用分野】
本発明は、工業化住宅における外壁パネルの耐震性能を展示する装置に関するものである。
【０００２】
【従来の技術】
工業化住宅において、躯体に外壁パネルを固定する場合、強固に固定してしまうと、震災時などの躯体の変位によって外壁パネルが破壊されてしまうこととなる。そこで、この躯体の変位に対して外壁パネルが追従して動くように、躯体に外壁パネルをぶら下げたようにして固定するカーテンウォール構造の外壁構造が提案されている。
【０００３】
従来より、この固定方法による優位性を住宅の購入予定者に知らせる場合、外壁パネルの固定状態を、住宅建物のカタログに図解で説明したり、展示住宅に訪れた購入予定者に、口頭で説明したりしていた。
【０００４】
【発明が解決しようとする課題】
しかし、図解や口頭で説明する場合、理屈が理解できても、その良さを実感できないといった不都合を生じることとなる。
【０００５】
また、図解や口頭で説明する場合、容易に理解してもらいにくく、説明に時間がかかって煩わしくなる。
【０００６】
さらに、その時は理解できていても、その良さを印象づけることができないといった不都合を生じる。
【０００７】
本発明は、係る実情に鑑みてなされたものであって、構造の良さを容易に把握でき、その良さを印象づけることができる外壁パネルの耐震性能展示装置を提供することを目的としている。
【０００８】
【課題を解決するための手段】
上記課題を解決するための本発明の外壁パネルの耐震性能展示装置は、下梁材と、この下梁材の上方に設けられた上梁材との少なくともいずれか一方の梁材が、長手方向に沿って往復動可能となされた装置本体と、この下梁材と上梁材とにそれぞれ固定される係止レールと、この係止レールに当接された状態で係止金具を介して固定されてなるカーテンウォール構造の外壁パネルと、下梁材および上梁材に固定され、隣接する外壁パネル同士の間隙に介在する丸棒状のスペーサとを具備し、装置本体の下梁材と上梁材とを連続的に変位させるとともに、スペーサによって外壁パネル同士がぶつかり合うことを防止して、この変形によって破壊されずに外壁パネルが追従して動くことを展示するようになされたものである。
【０００９】
【発明の実施の形態】
以下、本発明の実施の形態を図面を参照して説明する。
【００１０】
図１ないし図３は、耐震性能展示装置１の全体構成の概略を示している。
【００１１】
すなわち、この耐震性能展示装置１は、装置本体２と、この装置本体２の下梁材２１と上梁材２２とにそれぞれ固定される係止レール３と、係止レール３に係止金具４０を介して係止固定される外壁パネル４とを具備し、装置本板２の下梁材２１と上梁材２２とを連続的に変位させ、この変形によって破壊されずに外壁パネル４が追従して動くことを展示するようになされたものである。
【００１２】
装置本体２は、固定された下梁材２１に対して上梁材２２が長手方向に沿って往復動するようになされている。この下梁材２１は、箱状に組まれたフレーム２０の下端部に横たわるように固定されている。また、フレーム２０の上端部付近には、下梁材２１と対向するように上梁材２２が設けられる。この上梁材２２は、フレーム２０の上端部に設けたローラー２３に支持され、フレーム２０に対して滑動可能となされている。この上梁材２２は、フレーム２０に設けたシリンダ装置２４によって、矢符Ａ方向および矢符Ｂ方向にそれぞれ５０ｍｍのストロークで連続的に往復動可能となされている。この上梁材２２を変位させるシリンダ装置２４は、フレーム２０に取り付けられたスイッチボックス２５のスイッチ操作で作動するようになされている。
【００１３】
係止レール３は、図４および図５に示すように、溝形鋼からなる鋼材３１に適宜の間隔で取付片３２が設けられて構成されている。この係止レール３は、下梁材２１および上梁材２２に取付片３２を当接してボルトナット３３で固定される。この状態で係止レール３の鋼材３１の部分は、それぞれ下梁材２１および上梁材２２と並行して、これら下梁材２１および上梁材２２から張り出した位置に固定されることとなる。
【００１４】
外壁パネル４は、押出成形によって、押出方向に沿って並行する複数の中空孔が形成された中空外壁パネルが用いられている。この外壁パネル４は、図４および図５に示すように、裏面に、係止金具４０がボルト４１で固定される。この係止金具４０を固定するボルト４１は、外壁パネル４の中空孔内に設けたプレート（図示省略）に螺合させることができるようになされている。これにより、係止金具４０は、外壁パネル４に強固に固定することができる。
【００１５】
この係止金具４０は、板片の一端に、上記係止レール３の鋼材３１に係止される係止爪４０ａが形成されている。したがって、外壁パネル４は、係止金具４０の係止爪４０ａを、係止レール３の鋼材３１に係止させた状態にして、この係止金具４０を固定することで、係止レール３に当接した状態で係止固定される。また、外壁パネル４は、この固定状態で、隣接する外壁パネル４同士の間隙に目地材（図示省略）が充填されるのが通常であるが、この耐震性能展示装置１は、外壁パネル４を積極的に動かす展示装置であるため、目地材（図示省略）を設けてしまうと、目地材（図示省略）が脱落してしまうこととなる。しかし、この目地材（図示省略）を省略すると、外壁パネル４同士がぶつかり合って欠けたりすることとなる。そこで、目地材（図示省略）の代わりに、隣接する外壁パネル４同士の間隙には、丸棒状のスペーサ５を介在させる。このスペーサ５は、棒材５１を支持する基材５２の部分を、下梁材２１および上梁材２２にボルトナット５３で固定することによって設けられる。
【００１６】
このようにして構成される耐震性能展示装置１は、図６に示すように、装置本体２のスイッチボックス２５のスイッチ操作を行うことで、上梁材２２が矢符Ａ方向および矢符Ｂ方向に連続的に変位し、この変位に追従して外壁パネル４が破壊されずに揺れ動くこととなる。この時、変位によって外壁パネル４がどれだけ揺れ動いているかということは、外壁パネル４に設けた矢印４２を見ることによって把握することができる。
【００１７】
この耐震性能展示装置１によると、変位に追従する外壁パネル４の動きを確認してもらうことで、構造の確かさを容易に認識してもらうことができるとともに、実際の動きでその性能の良さを印象づけることができる。また、下梁材２１および上梁材２２の変位に追従して外壁パネル４が動く際、スペーサ５によって外壁パネル４同士がぶつかり合うことを防止することができるので、カーテンウォール構造の外壁構造を、この耐震性能展示装置１を見学する見学者に容易に説明することができる。
【００１８】
この耐震性能展示装置１は、例えば、住宅展示棟などに配置して使用される。
【００１９】
なお、本実施の形態では、下梁材２１に対して上梁材２２を変位させるようになされているが、上梁材２２に対して下梁材２１を変位させるようになされたものであっても良いし、下梁材２１および上梁材２２共に変位するようになされたものであっても良い。
【００２０】
【発明の効果】
以上述べたように、本発明によると、連続的な変位に追従して外壁パネルが動くので、外壁パネルの耐震性能が優れていることを、実際の動きで確認してもらうことができる。また、下梁材および上梁材に固定され、隣接する外壁パネル同士の間隙に介在する丸棒状のスペーサを備えているので、外壁パネル同士がぶつかり合うことを防止して変形によって破壊されずに外壁パネルが追従して動くことを展示することができる。
【図面の簡単な説明】
【図１】本発明の耐震性能展示装置の全体構成の概略を示す正面図である。
【図２】本発明の耐震性能展示装置の全体構成の概略を示す平面図である。
【図３】本発明の耐震性能展示装置の全体構成の概略を示す側面図である。
【図４】本発明の耐震性能展示装置の下梁材と外壁パネルとの固定状態を示す部分斜視図である。
【図５】本発明の耐震性能展示装置の上梁材と外壁パネルとの固定状態を示す部分斜視図である。
【図６】（ａ）ないし（ｃ）は、本発明の耐震性能展示装置による外壁パネルの動きを示す正面図である。
【符号の説明】
１  耐震性能展示装置
２  装置本体
２１  下梁材
２２  上梁材
３  係止レール
４  外壁パネル
４０  係止金具
【図１】
0003884234.tif 000002
【図２】
0003884234.tif 000003
【図３】
0003884234.tif 000004
【図４】
0003884234.tif 000005
【図５】
0003884234.tif 000006
【図６】
0003884234.tif 000007